(57)【要約】【課題】係合体を挿入片間に挿入し、挿入片の止め部を止着することによって収納容器本体の離脱を防止することができる。また、止め部を開放した場合には、釣り用ジャケットから収納容器本体を取り外すことができる。【解決手段】収納容器本体１の側面に、有底の係合口６を開口した係合体４を接続する。この係合体４を挿入可能とした前後２枚の挿入片１２を釣り用ジャケット３に形成すると共に、挿入片１２間に挿入する係合体４の係合口６内で着脱可能な止め部１５を二枚の挿入片１２の内面に形成する。この止め部１５を止着した状態では係合口６の底部１６が止め部１５に係合されて収納容器本体１の離脱を防止する。また、止め部１５の開放時には係合体４を二枚の挿入片１２間から引き抜き、収納容器本体１の取り外しを可能とする。【選択図】  図１
2004222612.tif 000002
【特許請求の範囲】
【請求項１】
収納容器本体の側面に、有底の係合口を開口した係合体を接続し、この係合体を挿入可能とした前後２枚の挿入片を釣り用ジャケットに形成すると共に、挿入片間に挿入する係合体の係合口内で着脱可能な止め部を二枚の挿入片の内面に形成し、この止め部を止着した状態では係合口の底部が止め部に係合されて収納容器本体の離脱を防止すると共に、止め部の開放時には係合体を二枚の挿入片間から引き抜き、収納容器本体の取り外しを可能としたことを特徴とする釣り用ジャケット装着用の収納容器。
【請求項２】
収納容器本体の底面には、係合体が接続した方向に突出片を突出形成し、釣り用ジャケットに収納容器本体を装着した状態で突出片を釣り用ジャケットに突き当てることにより、収納容器本体の上面を水平に保つことを特徴とする請求項１の釣り用ジャケット装着用の収納容器。
【請求項３】
係合体は、針金をＵ字状に折曲して形成し、Ｕ字状の間隔を係合口とすることにより、止め部を止着可能としたことを特徴とする請求項１の釣り用ジャケット装着用の収納容器。
【請求項４】
係合体は、平板にて形成し、係合口を開口することにより、止め部を止着可能としたことを特徴とする請求項１の釣り用ジャケット装着用の収納容器。
【請求項５】
釣り用ジャケットは、水に対する浮力構造を備えたライフジャケットであることを特徴とする請求項１の釣り用ジャケット装着用の収納容器。
【請求項６】
釣り用ジャケットは、水に対する浮力構造を備えないジャケットであることを特徴とする請求項１の釣り用ジャケット装着用の収納容器。
【発明の詳細な説明】
【０００１】
【産業上の利用分野】
本発明は、釣り用ジャケットにエサ箱、小物入れ等の収納容器を取り外し可能に装着するための釣り用ジャケット装着用の収納容器に係るものである。
【０００２】
【従来の技術】
従来、エサ釣りに用いられるエサや仕掛、釣針、釣糸等の小物は、クーラーや釣りバック等に収納されている場合が多いが、エサをハリに取り付けたり、仕掛を取り替えたりする際には、その都度クーラーや釣りバック等からエサや仕掛等の小物を取り出さなければならず、手数を要していた。
【０００３】
そこで、エサ箱、小物入れ等の収納容器を釣り用ジャケットに装着し、この収納容器からエサや小物を取り出して使用することが行われている。この釣り用ジャケットへの収納容器の取り付けでは、収納容器本体に平板、針金等により形成した係合体を接続し、この係合体を釣り用ジャケットのポケット等に挿入してエサ箱を釣り用ジャケットに装着することにより、エサや小物が必要となった時に、わざわざエサ箱が置いてある場所まで出向くことなく使用することが出来るようにしたものが存在する。
【０００４】
【発明が解決しようとする課題】
しかしながら、収納容器に接続した係合体を釣り用ジャケットのポケット等に挿入しただけでは、上体を傾けたり、収納容器に釣り竿等が衝突するなどした場合に、釣り用ジャケットから離脱する可能性が高かった。また、収納容器を釣り用ジャケットから離脱しないように装着することも考慮されるが、収納容器が不必要な場合や、釣り用ジャケットの収納時に邪魔となる欠点を有している。
【０００５】
本発明は上述の如き課題を解決しようとするものであって、釣り用ジャケットに装着した収納容器の離脱を防止すると共に、任意に取り外しを可能とする釣り用ジャケット装着用の収納容器を得ようとするものである。
【０００６】
【課題を解決するための手段】
本発明は上述の如き課題を解決するため、収納容器本体の側面に、有底の係合口を開口した係合体を接続し、この係合体を挿入可能とした前後２枚の挿入片を釣り用ジャケットに形成すると共に、挿入片間に挿入する係合体の係合口内で着脱可能な止め部を二枚の挿入片の内面に形成し、この止め部を止着した状態では係合口の底部が止め部に係合されて収納容器本体の離脱を防止すると共に、止め部の開放時には係合体を二枚の挿入片間から引き抜き、収納容器本体の取り外しを可能とするものである。
【０００７】
また、収納容器本体の底面には、係合体が接続した方向に突出片を突出形成し、釣り用ジャケットに収納容器本体を装着した状態で突出片を釣り用ジャケットに突き当てることにより、収納容器本体の上面を水平に保つものであっても良い。
【０００８】
また、係合体は、針金をＵ字状に折曲して形成し、Ｕ字状の間隔を係合口とすることにより、止め部を止着可能としたものであっても良い。
【０００９】
また、係合体は、平板にて形成し、係合口を開口することにより、止め部を止着可能としたものであっても良い。
【００１０】
また、釣り用ジャケットは、水に対する浮力構造を備えたライフジャケットであっても良い。
【００１１】
また、釣り用ジャケットは、水に対する浮力構造を備えないジャケットであっても良い。
【００１２】
【作用】
上述の如く構成したものに於いて、収納容器本体は、側面に有底の係合口を開口した係合体を接続しているから、この係合体を、釣り用ジャケットに設けた前後二枚の挿入片間に挿入することが可能となる。この二枚の挿入片の内側には係合体の係合口内で着脱可能な止め部が形成されているから、係合体を挿入片に挿入し、係合口内で止め部を止着することにより、係合体が離脱方向に移動すると、係合口の有底部が止め部に係合するため、収納容器本体の離脱を防止することができる。また、止め部を開放すれば、有底部は止め部に係合することがないから、係合体を二枚の挿入片間から引き抜くことにより、収納容器本体を取り外すことも出来る。そのため、釣り人は、釣り動作中に収納容器が釣り用ジャケットから離脱して滅失したり、落下による破損を防止できると共に、エサや小物の補充時や、釣りの終了時には簡単に釣り用ジャケットから取り外すことが可能となる。
【００１３】
また、収納容器本体の底面の係合体側に突出片を突出形成すれば、釣り用ジャケットに装着した状態で突出片を釣り用ジャケットに突き当てることができ、収納容器本体の上面を水平に保つことができる。これにより、収納容器本体の傾きによるエサや小物類等の落下を防ぐことが可能となる。
【００１４】
また、係合体は、針金をＵ字状に折曲して形成したものであっても良く、Ｕ字状に形成すれば、Ｕ字状の間隔を、止め部を止着する係合口とすることができ、廉価な係合体を得ることが出来る。
【００１５】
また、係合体は、平板にて形成し、この平板に係合口を開口したものを収納容器本体に接続すれば、針金をＵ字状とする場合に比較し、量産を行う場合に有利であるし、針金をＵ字状に形成したものより、安定良く釣り用ジャケットに装着することが可能となる。
【００１６】
また、釣り用ジャケットを、水に対する浮力構造を備えたライフジャケットで構成すれば、釣り人が水中に落下した場合でもライフジャケットの浮力によって高い救命率を得ることができ、安全に釣りを楽しむことが可能となる。
【００１７】
また、釣り用ジャケットを、水に対する浮力構造を備えない構成とすれば、釣り用ジャケットの構成を簡略化し、軽量で薄手のものとすることが出来るから、比較的安全な場所で釣りをする釣り人の負担を軽減することが可能となるし、廉価な釣り用ジャケットを得ることが可能となる。
【００１８】
【実施例】
本発明の、第１実施例を図面に於いて説明すれば、（１）は収納容器本体で、上面を開口部（２）とした箱形に成形している。この、収納容器本体（１）の側面には釣り用ジャケット（３）に収納容器（１４）を係合するための係合体（４）を接続する。この係合体（４）は、収納容器本体（１）の側面に一定の間隔を介して開口した一対の挿入口（５）に、針金の両端部を挿入して折曲固定してＵ字状に形成することにより、Ｕ字状の間隔に底部（１６）を有する係合口（６）を設けている。また、係合体（４）は収納容器本体（１）を安定して支えるのに必要な強度を保持した針金により形成すると共に、係合体（４）と収納容器本体（１）との間には、釣り用ジャケット（３）の一部が挿入可能な挿入間隔（７）を介して形成している。また、収納容器本体（１）の底面には挿入間隔（７）を介して係合体（４）に突き当たる突出片（８）を形成し、係合体（４）と収納容器本体（１）との間隔に挿入した釣り用ジャケット（３）の一部によって、収納容器本体（１）が傾斜するのを防止している。
【００１９】
また、釣り用ジャケット（３）は、左右の前身頃（９）及び後身頃の内部に発泡スチロール等の浮力構造を備えている。また、左右の前身頃（９）には釣り具等を収納するポケット（１０）が配置されている。更に、左右の前身頃（９）には、身頃を閉じ合わせるためのファスナー（１１）が設けられている。
【００２０】
釣り用ジャケット（３）は、前記の係合口（６）を挿入して係合するための挿入片（１２）を形成している。この挿入片（１２）は、収納容器（１４）を装着した時にエサや釣り道具を取り出しやすいよう胸部に配置している。この挿入片（１２）の設置位置は使用目的に応じて、釣り用ジャケット（３）の側面や背面に形成しても良い。
【００２１】
この挿入片（１２）は前後二枚から成り、係合体（４）の挿入を可能とするため、図３、図４に示す如く、係合体（４）の形成幅よりも広い間隔で両端を固定し、その一端を釣り用ジャケット（３）の一方の前身頃（９）に固定している。また、挿入片（１２）は、その他端にホック（１７）を形成し、他方の前身頃（９）に固定した固定片（１３）のホック（１７）と着脱可能としている。このように挿入片（１２）の両端を固定することにより、挿入片（１２）を安定良く配置することができ、装着する収納容器（１４）を安定的に釣り用ジャケット（３）に配置することが可能となる。また、この二枚の挿入片（１２）の内部には係合体（４）のＵ字状の間隔で着脱可能な止め部（１５）を形成している。この止め部（１５）は、前後二枚から成る挿入片（１２）を固定できるものであれば特に限定されるものではなく、ホック、スナップ、釦、ベロクロスファスナー等を用いることが可能である。そして、収納容器本体（１）に接続した係合体（４）を釣り用ジャケット（３）の挿入片（１２）の間隔に挿入することにより、収納容器本体（１）を釣り用ジャケット（３）に装着することができる。
【００２２】
しかし、係合体（４）を挿入片（１２）間に挿入するだけでは、上体を傾けたり、釣り竿等の障害物が衝突した場合に、収納容器本体（１）が釣り用ジャケット（３）から離脱し、収納容器本体（１）が水中等に落下するおそれがある。そこで、図３に示す如く、Ｕ字状の間隔に設けた底部（１６）を有する係合口（６）内で挿入片（１２）の止め部（１５）を止着することで、係合体（４）が離脱方向に移動すると、止め部（１５）に係合口（６）の底部（１６）が引っ掛かるため、収納容器本体（１）の離脱を防止することが可能となる。また、図４に示す如く、止着した止め部（１５）を開放することにより、係合口（６）の底部（１６）に引っ掛かるものがなくなるため、係合体（４）を挿入片（１２）から引き抜くことで、収納容器本体（１）を釣り用ジャケット（３）から取り外すことが可能となる。この取り外しにより、容易にエサや仕掛等の取り替えや、収納容器本体（１）の洗浄をすることが可能となる。また、釣り用ジャケット（３）の収納に於いても、収納容器（１４）が邪魔となることはない。
【００２３】
また、収納容器本体（１）の底面に突出片（８）を設けているため、突出片（８）が釣り用ジャケット（３）の胸部面に突き当たり、収納容器本体（１）を水平に保つことができる。そのため、エサや小物の開口部（２）からの落下を防止することが可能となる。この突出片（８）を設けない場合は、収納容器本体（１）を直接釣り用ジャケット（３）に突き当てることになるため、収納容器本体（１）が係合体（４）側と反対方向に傾いて収納容器本体（１）が水平に保てない場合があり、収納したエサや小物類等が落下するおそれがある。
【００２４】
また、収納容器（１４）を装着する釣り用ジャケット（３）は、水に対する浮力構造を備えるものであって、発泡スチロールなどの浮力材や、ガス充気機構を備えたものにより構成する。このように、水に対する浮力構造を備えたライフジャケットとすることにより、釣り人が誤って、または、高波等により水中に落下した場合でも、釣り用ジャケット（３）の浮力によって高い救命率を得ることが可能となる。また、本発明に於いて、釣り用ジャケット（３）が水に対する浮力構造を有することは必ずしも必須の要件ではなく、浮力構造を有しないジャケットであっても良い。
【００２５】
また、上記の第一実施例に於いて、係合体（４）は、Ｕ字状の針金により形成したが、異なる第二実施例では図６に示す如く、平板により形成する。この平板により形成した係合体（４）に、上端をＬ字型の固定部（１８）とし、この固定部（１８）を収納容器本体（１）の上端部に接着剤で接着するか、高周波溶着等の適宜の方法で固定することで収納容器本体（１）と係合体（４）を接続する。また、係合体（４）は底部（１６）を有する係合口（６）を開口することにより、この係合口（６）内で挿入片（１２）の止め部（１５）を止着することにより、止め部（１５）に係合口（６）の底部（１６）が係止可能となるため、収納容器本体（１）の離脱を防止することが可能となる。この係合体（４）を平板状とすることにより、量産を行う場合に有利であり、また、針金をＵ字状に形成したものより、安定良く釣り用ジャケット（３）に装着することが可能となる。
【００２６】
【発明の効果】
本発明は上述の如く構成したものであるから、係合体を挿入片間に挿入し、挿入片の止め部を止着することによって収納容器本体の離脱を防止することができる。また、止め部を開放した場合には、釣り用ジャケットから収納容器本体を取り外すことができる。このように、止め部の開閉のみで収納容器本体の釣り用ジャケットへの確実な固定と、迅速な取り外しが可能となることから、収納容器の落下等による釣り人の負担を軽減し、簡易な取り外しにより、釣り用ジャケット等の収納も容易となる。
【図面の簡単な説明】
【図１】釣り用ジャケットに、収納容器を装着した状態の正面図。
【図２】釣り用収納容器本体と、Ｕ字状の針金にて形成した係合体との関係を示す斜視図。
【図３】挿入片の止め部の止着状態を示す部分拡大平面図。
【図４】挿入片の止め部を開放した状態の部分拡大平面図。
【図５】図３のＡ−Ａ線断面図。
【図６】係合体の異なる実施例を示す斜視図。
【符号の説明】
１    収納容器本体
３    釣り用ジャケット
４    係合体
６    係合口
８    突出片
１２    挿入片
１４    収納容器
１５    止め部
１６    底部
【図１】
2004222612.tif 000003
【図２】
2004222612.tif 000004
【図３】
2004222612.tif 000005
【図４】
2004222612.tif 000006
【図５】
2004222612.tif 000007
【図６】
2004222612.tif 000008